(57)【要約】【課題】を提供する。【解決手段】直角プリズムＰの斜面Ｓ３を研磨用保持具８１により保持し、研磨後の被観察面Ｓ２の欠陥の有無を検査するプリズム外観検査に用いるプリズム外観検査用補助具１０であって、不透明材料からなり、直角プリズムＰの第１端面Ｓ４を被覆する第１被覆部材１１と、第２端面Ｓ５を被覆する第２被覆部材１２と、非該当面Ｓ１を被覆する第３被覆部材１３と、研磨用保持具８１の背面８１ｃを被覆する第４被覆部材１４を備えた四角形枠状に形成され、被観察面Ｓ２のみを上部に露出させ、他の面から外光が入射しないように遮光する。【選択図】        図１
2004301593.tif 000002
【特許請求の範囲】
【請求項１】
光学素材からなり断面が略直角二等辺三角形である三角柱状に形成された直角プリズムの表面のうち、前記直角二等辺三角形の斜辺により形成される面である斜面を研磨用保持具により保持し、前記直角二等辺三角形の直角を構成する２つの辺の一方である第１辺により形成される面である第１被研磨面、又は前記直角二等辺三角形の直角を構成する２つの辺の他方である第２辺により形成される面である第２被研磨面を研磨した後、前記第１被研磨面又は前記第２被研磨面のいずれかである被観察面の欠陥の有無を検査するプリズム外観検査に用いるプリズム外観検査用補助具であって、
前記被観察面のみを上部に露出させるとともに、前記直角プリズムの５つの表面のうち、少なくとも前記第１被研磨面又は前記第２被研磨面のうち前記被観察面ではない方の面である非該当面と、前記斜面から外光が入射しないように遮光する遮光部材を備えること
を特徴とするプリズム外観検査用補助具。
【請求項２】
請求項１記載のプリズム外観検査用補助具において、
前記遮光部材は、
前記三角柱の２つの端面の一方であり前記斜面及び前記第１被研磨面及び前記第２被研磨面に対して垂直となる面である第１端面を被覆する第１被覆部材と、
前記三角柱の２つの端面の他方であり前記斜面及び前記第１被研磨面及び前記第２被研磨面に対して垂直となる面である第２端面を被覆する第２被覆部材と、
前記第１被覆部材及び前記第２被覆部材に対して垂直に接合されるとともに、前記非該当面を被覆する第３被覆部材と、
前記第１被覆部材及び前記第２被覆部材に対して垂直に接合され前記第３被覆部材と平行になるように配置されるとともに、前記研磨用保持具の背面を被覆する第４被覆部材を有し、
四角形の枠状に構成されること
を特徴とするプリズム外観検査用補助具。
【請求項３】
請求項１記載のプリズム外観検査用補助具において、
前記遮光部材は、帯状又はテープ状に形成され、前記非該当面、及び前記研磨用保持具の背面に少なくとも貼付又は接着されること
を特徴とするプリズム外観検査用補助具。
【請求項４】
請求項１記載のプリズム外観検査用補助具において、
前記遮光部材は、略板状又は略塊状の基体に一又は複数の貫通する開口部が開設されて形成され、前記開口部は、前記被観察面が上面となる状態で一又は複数の前記直角プリズムを前記開口部の内部に収容可能に構成されること
を特徴とするプリズム外観検査用補助具。
【請求項５】
請求項１記載のプリズム外観検査用補助具において、
前記遮光部材は、半透明材料又は不透明材料により形成されること
を特徴とするプリズム外観検査用補助具。
【請求項６】
請求項１記載のプリズム外観検査用補助具において、
前記遮光部材の内面は不透明色に着色されること
を特徴とするプリズム外観検査用補助具。
【請求項７】
請求項６記載のプリズム外観検査用補助具において、
前記不透明色は黒色であること
を特徴とするプリズム外観検査用補助具。
【請求項８】
光学素材からなり断面が略直角二等辺三角形である三角柱状に形成された直角プリズムの表面のうち、前記直角二等辺三角形の斜辺により形成される面である斜面を研磨用保持具により保持し、前記直角二等辺三角形の直角を構成する２つの辺の一方である第１辺により形成される面である第１被研磨面、又は前記直角二等辺三角形の直角を構成する２つの辺の他方である第２辺により形成される面である第２被研磨面を研磨した後、前記第１被研磨面又は前記第２被研磨面のいずれかである被観察面の欠陥の有無を検査するプリズム外観検査方法であって、
前記被観察面のみを上部に露出させるとともに、前記直角プリズムの５つの表面のうち、少なくとも前記第１被研磨面又は前記第２被研磨面のうち前記被観察面ではない方の面である非該当面と、前記斜面から外光が入射しないように遮光し、前記被観察面を観察すること
を特徴とするプリズム外観検査方法。
【請求項９】
請求項８記載のプリズム外観検査方法において、
顕微鏡により前記被観察面の前記観察を行いつつ、有機溶剤を含ませた塗布具により前記被観察面を拭き、前記有機溶剤が前記被観察面から蒸発する際に視認される視認像に基づいて、前記視認像が前記被観察面のものか、又は前記第１被研磨面又は前記第２被研磨面のうち前記被観察面ではない方の面である非該当面のものか、若しくは前記斜面のものかを判別すること
を特徴とするプリズム外観検査方法。
【請求項１０】
請求項９記載のプリズム外観検査方法において、
前記視認像が動いて見える場合には当該視認像と同一位置に見える面は前記被観察面であると判別し、
前記視認像が停止して見える場合には当該視認像と同一位置に見える面は前記被該当面又は前記斜面であると判別すること
を特徴とするプリズム外観検査方法。
【発明の詳細な説明】
【０００１】
【発明の属する技術分野】
本発明は、直角プリズム研磨後に光学面の欠陥の有無を検査するプリズム外観検査方法、及びこの方法に用いるプリズム外観検査用補助具に関するものである。
【０００２】
【従来の技術】
従来、図４（Ａ）に示すような、断面が略直角二等辺三角形である三角柱状に形成されたプリズム（以下「直角プリズム」という。）は、光学ガラス等の光学材料からなる角柱状の素材を研磨することにより作製されていた。
【０００３】
図４（Ａ）に示す直角プリズムＰは、５つの表面Ｓ１ないしＳ５を有している。すなわち、三角柱の断面を形成する直角二等辺三角形の３つの辺のうち、直角を構成する２つの辺の一方である第１辺ｅ１により形成される面Ｓ１と、直角を構成する２つの辺の他方である第２辺ｅ２により形成される面Ｓ２と、直角二等辺三角形の斜辺ｅ３（辺ｅ１及び辺ｅ２に対し角度４５度となる辺）により形成される斜面Ｓ３と、三角柱の２つの端面の一方であり面Ｓ１及び面Ｓ２及び斜面Ｓ３に対して垂直となる面である第１端面Ｓ４と、三角柱の２つの端面の他方であり面Ｓ１及び面Ｓ２及び斜面Ｓ３に対して垂直となる面である第２端面Ｓ５である。
【０００４】
このような直角プリズムの研磨方法としては、作製するプリズムの形状に合わせたＶ字形状の溝を有する研磨用治具を用意し、この研磨用治具に研磨前の略三角柱状の素材をセットして保持し、研磨を行う方法が知られている（例えば、特許文献１参照）。
【０００５】
また、直角プリズムの他の研磨方法として、図４（Ｂ）に示す方法も知られている。この研磨方法は、図４（Ｂ）に示す研磨用保持具８１を用いる。この研磨用保持具８１は、ガラスからなり、略五角柱状に形成されており、その面であるベース板取付面８１ａがあらかじめベース板７２の上面に接着等によって取り付けられている。研磨用保持具８１は、その上部に、保持面８１ｂを有している。保持面８１ｂは、角度４５度の傾斜面であり、直角プリズムの素材Ｐ´の斜面Ｓ３を接着等により保持することができるようになっている。
【０００６】
ベース板７２は、略円盤状の部材であり、円の中心位置となる下部に、回転駆動軸７１が取り付けられるようになっている。回転駆動軸７１には、電動モータ等の回転駆動源（図示せず）が接続しており、回転駆動軸７１は、ベース板７２を、図４（Ｂ）において矢印で示す回転方向に回転させることができるように構成されている。この回転方向は、図４（Ｂ）とは逆の方向でもよい。
【０００７】
研磨用工具６１の下面６１ａには、研磨材が取り付けられ、研磨面となっている。また、研磨用工具６１の上部には、半球状の凹部６１ｂが形成されており、この凹部６１ｂには、往復駆動部材９１の下端の嵌合球部９１ａが嵌合可能となっている。往復駆動部材９１には、ピストン等の往復駆動源（図示せず）が接続しており、往復駆動部材９１は、研磨用工具６１を、図４（Ｂ）において左右の矢印で示す方向（水平方向）に往復駆動することができるように構成されている。
【０００８】
このような構成により、ベース板７２上の研磨用保持具８１に保持された直角プリズム素材Ｐ´の上に、研磨用工具６１を乗せた状態で、回転駆動軸７１を回転させる。また、同時に、往復駆動部材９１を往復させる。これにより、直角プリズム素材Ｐ´の上面は、研磨工具６１の研磨面６１ａにより、均一に研磨される。
【０００９】
図４（Ｂ）は、直角プリズムの面Ｓ２となるべき素材面Ｓ２´の研磨を行っている状態を示している。なお、面Ｓ２の研磨に先立ち、斜面Ｓ３の研磨を行った。面Ｓ３の研磨は、別の研磨用保持具（図示せず）を用いて行われた。面Ｓ１の研磨は、面Ｓ２の前であっても後であってもよい。面Ｓ１の研磨が先に行われる場合は、研磨用保持具８１の背面８１ｃがベース板７２の上面に接着等によって取り付けられた状態で、面Ｓ１となるべき素材面が上となるような状態で研磨を行われ、その後、ベース板取付面を８１ｃから８１ａに変えることにより、面Ｓ２の研磨が行われる。
【００１０】
上記のようにして、直角プリズムの光学機能面Ｓ２の研磨を終了すると、次に、「プリズム外観検査」を行う。図５に示すように、プリズム外観検査は、研磨用保持具８１に直角プリズムＰが保持された状態で行われる。このときには、顕微鏡Ｍを用いて、研磨された面Ｓ２の表面を観察し、キズ等の欠陥の有無を検査する。
【００１１】
【特許文献１】
特開平９−４７９５０号公報（第１−５頁、図１−３）
【００１２】
【発明が解決しようとする課題】
しかしながら、上記した従来のプリズム外観検査の方法においては、研磨後の面Ｓ２の表面を観察しようとすると、以下のような問題があった。すなわち、ベース板７２は光を通さないものとすると、図５における右方から直角プリズムＰの表面Ｓ１を通って入射してくる光線Ｌ１１が、直角プリズムＰの斜面Ｓ３で反射して上方へ屈曲し光線Ｌ１２となって顕微鏡Ｍに入り、光線Ｌ１２´として検査者の眼Ｅに入ってしまう。この光線Ｌ１２´によって、面Ｓ１の表面の像と斜面Ｓ３の表面の像も検査者に観察される。これらの像は、観察しようとする面Ｓ２の像とまぎらわしく、面Ｓ２の外観検査を妨げる、という問題があった。
【００１３】
また、図５における左方からガラス部材である研磨用保持具８１を貫通してくる光線Ｌ１３が、直角プリズムＰの斜面Ｓ３を透過し、光線Ｌ１４のように直角プリズムＰ内を進み、面Ｓ１で反射したのち、光線Ｌ１４の光路を逆に進んで斜面Ｓ３に戻り、斜面Ｓ３で反射して上方へ屈曲し光線Ｌ１５となって顕微鏡Ｍに入り、光線Ｌ１５´として同じく検査者の眼Ｅに入ってしまう。この光線Ｌ１５´によって、斜面Ｓ３の表面の像と面Ｓ１の表面の像も検査者に観察される。これらの像も、観察しようとする面Ｓ２の外観検査を妨げる、という問題があった。
【００１４】
本発明は上記の問題を解決するためになされたものであり、本発明の解決しようとする課題は、研磨後の直角プリズムの面の外観検査を容易にするプリズム外観検査用補助具、及びこのプリズム外観検査用補助具を用いたプリズム外観検査方法を提供することにある。
【００１５】
【課題を解決するための手段】
上記課題を解決するため、本発明に係るプリズム外観検査用補助具は、
光学素材からなり断面が略直角二等辺三角形である三角柱状に形成された直角プリズムの表面のうち、前記直角二等辺三角形の斜辺により形成される面である斜面を研磨用保持具により保持し、前記直角二等辺三角形の直角を構成する２つの辺の一方である第１辺により形成される面である第１被研磨面、又は前記直角二等辺三角形の直角を構成する２つの辺の他方である第２辺により形成される面である第２被研磨面を研磨した後、前記第１被研磨面又は前記第２被研磨面のいずれかである被観察面の欠陥の有無を検査するプリズム外観検査に用いるプリズム外観検査用補助具であって、
前記被観察面のみを上部に露出させるとともに、前記直角プリズムの５つの表面のうち、少なくとも前記第１被研磨面又は前記第２被研磨面のうち前記被観察面ではない方の面である非該当面と、前記斜面から外光が入射しないように遮光する遮光部材を備えること
を特徴とする。
【００１６】
上記のプリズム外観検査用補助具において、好ましくは、
前記遮光部材は、
前記三角柱の２つの端面の一方であり前記斜面及び前記第１被研磨面及び前記第２被研磨面に対して垂直となる面である第１端面を被覆する第１被覆部材と、
前記三角柱の２つの端面の他方であり前記斜面及び前記第１被研磨面及び前記第２被研磨面に対して垂直となる面である第２端面を被覆する第２被覆部材と、
前記第１被覆部材及び前記第２被覆部材に対して垂直に接合されるとともに、前記非該当面を被覆する第３被覆部材と、
前記第１被覆部材及び前記第２被覆部材に対して垂直に接合され前記第３被覆部材と平行になるように配置されるとともに、前記研磨用保持具の背面を被覆する第４被覆部材を有し、
四角形の枠状に構成される。
【００１７】
また、上記のプリズム外観検査用補助具において、好ましくは、前記遮光部材は、帯状又はテープ状に形成され、前記非該当面、及び前記研磨用保持具の背面に少なくとも貼付又は接着される。
【００１８】
また、上記のプリズム外観検査用補助具において、好ましくは、前記遮光部材は、略板状又は略塊状の基体に一又は複数の貫通する開口部が開設されて形成され、前記開口部は、前記被観察面が上面となる状態で一又は複数の前記直角プリズムを前記開口部の内部に収容可能に構成される。
【００１９】
また、上記のプリズム外観検査用補助具において、好ましくは、前記遮光部材は、半透明材料又は不透明材料により形成される。
【００２０】
また、上記のプリズム外観検査用補助具において、好ましくは、前記遮光部材の内面は不透明色に着色される。
【００２１】
また、上記のプリズム外観検査用補助具において、好ましくは、前記不透明色は黒色である。
【００２２】
また、本発明に係るプリズム外観検査方法は、
光学素材からなり断面が略直角二等辺三角形である三角柱状に形成された直角プリズムの表面のうち、前記直角二等辺三角形の斜辺により形成される面である斜面を研磨用保持具により保持し、前記直角二等辺三角形の直角を構成する２つの辺の一方である第１辺により形成される面である第１被研磨面、又は前記直角二等辺三角形の直角を構成する２つの辺の他方である第２辺により形成される面である第２被研磨面を研磨した後、前記第１被研磨面又は前記第２被研磨面のいずれかである被観察面の欠陥の有無を検査するプリズム外観検査方法であって、前記被観察面のみを上部に露出させるとともに、前記直角プリズムの５つの表面のうち、少なくとも前記第１被研磨面又は前記第２被研磨面のうち前記被観察面ではない方の面である非該当面と、前記斜面から外光が入射しないように遮光し、前記被観察面を観察すること
を特徴とする。
【００２３】
上記のプリズム外観検査方法において、好ましくは、顕微鏡により前記被観察面の前記観察を行いつつ、有機溶剤を含ませた塗布具により前記被観察面を拭き、前記有機溶剤が前記被観察面から蒸発する際に視認される視認像に基づいて、前記視認像が前記被観察面のものか、又は前記第１被研磨面又は前記第２被研磨面のうち前記被観察面ではない方の面である非該当面のものか、若しくは前記斜面のものかを判別する。
【００２４】
また、上記のプリズム外観検査方法において、好ましくは、
前記視認像が動いて見える場合には当該視認像と同一位置に見える面は前記被観察面であると判別し、
前記視認像が停止して見える場合には当該視認像と同一位置に見える面は前記被該当面又は前記斜面であると判別する。
【００２５】
【発明の実施の形態】
以下、本発明の実施形態について、図面を参照しながら詳細に説明する。
【００２６】
図１は、本発明の第１実施形態であるプリズム外観検査用補助具の構成を示す図であり、図１（Ａ）は全体の斜視図を、図１（Ｂ）は横断面図を、それぞれ示している。
【００２７】
図１（Ａ）に示すように、このプリズム外観検査用補助具１０は、第１被覆部材１１と、第２被覆部材１２と、第３被覆部材１３と、第４被覆部材１４を備えた四角形の枠状に構成されている。
【００２８】
上記の第１被覆部材１１は、直角プリズムＰの第１端面Ｓ４を被覆している。また、第２被覆部材は、直角プリズムＰの第２端面Ｓ５を被覆している。また、第３被覆部材１３は、面Ｓ１を被覆している。また、、第４被覆部材１４は、研磨用保持具８１の背面８１ｃを被覆している。ここに、面Ｓ１は、面Ｓ２と同様にして研磨される面であり、特許請求の範囲における第１被研磨面及び非該当面に相当している。面Ｓ１の研磨は、面Ｓ２の前であっても後であってもよい。また、面Ｓ２は、特許請求の範囲における第２被研磨面に相当している。
【００２９】
これらの第１被覆部材１１ないし第４被覆部材１４は、光を透過させない不透明材料、例えば不透明色の合成樹脂材料などにより形成されている。不透明色としては、黒色などが用いられる。これにより、面Ｓ２のみが上部に露出され、直角プリズムＰの５つの表面のうち、面Ｓ２をのぞく４つの面である面Ｓ１、斜面Ｓ３、第１端面Ｓ４、第２端面Ｓ５のいずれからも外光が入射しないようになっている。ここに、第１被覆部材１１と、第２被覆部材１２と、第３被覆部材１３と、第４被覆部材１４は、特許請求の範囲における遮光部材を構成している。
【００３０】
次に、上記した第１実施形態のプリズム外観検査用補助具１０の作用について、図２を参照しつつ説明を行う。
【００３１】
この場合、ベース板７２は光を通さないものとする。図２に示すように、面Ｓ２のプリズム外観検査は、研磨用保持具８１に直角プリズムＰが保持された状態で、顕微鏡Ｍを用いて、研磨された面Ｓ２の表面を観察し、キズ等の欠陥の有無を検査する。
【００３２】
この状態では、図２における右方から直角プリズムＰの表面Ｓ１を通って入射してくる外光Ｌ１１は無い。したがって、図５の従来例における光線Ｌ１２´が、顕微鏡Ｍから検査者の眼Ｅに入ることはない。また、図２における左方から研磨用保持具８１の背面８１ｃを通って入射してくる外光Ｌ１３も無い。したがって、図５の従来例における光線Ｌ１５´が、顕微鏡Ｍから検査者の眼Ｅに入ることはない。
【００３３】
したがって、従来例の場合のような外光Ｌ１１、又はＬ１３によって、観察しようとする面Ｓ２（以下、「被観察面」という。）の像とまぎらわしい像が視認されることはなく、これらが面Ｓ２の外観検査を妨げる、という問題は解消されている。
【００３４】
しかし、図２に示すように、被観察面である面Ｓ２から下方に向けて入射してくる外光Ｌ１があり、この外光Ｌ１は、直角プリズムＰの斜面Ｓ３で直角に反射されて光線Ｌ２のように直角プリズムＰ内を進み、直角プリズムＰの表面Ｓ１で反射したのち、光線Ｌ２の光路を逆に進んで斜面Ｓ３に戻り、斜面Ｓ３で反射して上方へ屈曲し光線Ｌ４となって顕微鏡Ｍに入り、光線Ｌ４´として検査者の眼Ｅに入る場合がある。この光線Ｌ４´には、直角プリズムＰの斜面Ｓ３の表面の像と、非該当面である面Ｓ１の表面の像が含まれている。これらの像は、被観察面Ｓ２の像に対してまぎらわしいが、以下の方法により、両者を区別することができる。
【００３５】
まず、図２に示すように、顕微鏡Ｍにより被観察面Ｓ２の観察を行う。この状態で、有機溶剤（例えば、アルコール、エーテル等）を含ませた筆等の塗布具Ｂにより、被観察面Ｓ２を拭く。これにより、有機溶剤は、被観察面Ｓ２から蒸発する。この際に視認される視認像は、被観察面Ｓ２の像であれば、有機溶剤の部分が被観察面Ｓ２から消えていくように見える。すなわち、視認像は、被観察面Ｓ２の像であれば、有機溶剤の部分が動いているように見える。
【００３６】
しかし、被観察面Ｓ２以外の面の像、例えば斜面Ｓ３の表面の像、あるいは面Ｓ１の表面の像は、有機溶剤は存在しないから、動いては見えない。このことから、視認像が動いて見える場合には、この視認像は有機溶剤の蒸発時の像であり、この視認像と同一位置に見える面は被観察面Ｓ２であると判別することができる。また、視認像が停止して見える場合には、この視認像は有機溶剤の像ではないから、この像と同一位置に見える面は非観察面Ｓ２以外の被該当面Ｓ１か、又は斜面Ｓ３であると判別することができる。
【００３７】
本発明は、上記した第１実施形態以外の構成によっても実現可能である。図３は、本発明の第２実施形態であるプリズム外観検査用補助具の構成を示す斜視図である。
【００３８】
図３に示すように、このプリズム外観検査用補助具２０は、略板状又は略塊状の基体２１に、一又は複数の貫通する開口部２２が開設されて形成される。また、開口部２２は、被観察面Ｓ２が上面となる状態で、直角プリズムＰを開口部２２の内部に収容可能なように構成されている。なお、複数の開口部２２の一部に直角プリズムＰが収容されないものがあってもよく、このプリズム外観検査用補助具２０のどれか１つの開口部２２に１個の直角プリズムＰを収容するようにしてもよい。
【００３９】
また、基体２１は、光を透過させない不透明材料、例えば不透明色の合成樹脂材料などにより形成されている。不透明色としては、黒色などが用いられる。
【００４０】
この第２実施形態のように構成しても、上記した第１実施形態の場合と同様な作用により、従来例の場合のような外光Ｌ１１、又はＬ１３が入ることがなく、被観察面Ｓ２の像とまぎらわしい像の発生を防止することができる。また、上面である被観察面Ｓ２から入る外光による像についても、上記した有機溶剤を塗布しつつ観察する方法を採用することにより、被観察面か否かの判別を容易に行うことができる。
【００４１】
上記の第２実施形態において、開口部２２を有する基体２１は、特許請求の範囲における遮光部材に相当している。
【００４２】
なお、本発明は、上記各実施形態に限定されるものではない。上記各実施形態は、例示であり、本発明の特許請求の範囲に記載された技術的思想と実質的に同一な構成を有し、同様な作用効果を奏するものは、いかなるものであっても本発明の技術的範囲に包含される。
【００４３】
例えば、上記した第１、第２実施形態のプリズム外観検査用補助具１０、２０においては、直角プリズムＰの非該当面Ｓ１、研磨用保持具８１の背面８１ｃを被覆するほか、直角プリズムＰの第１端面Ｓ４と第２端面Ｓ５も被覆する例について説明したが、本発明はこれらの例には限定されず、他の構成であってもよい。すなわち、図２及び図５において、紙面の手前側に第１端面Ｓ４が、紙面の奥側に第２端面Ｓ５が存在するが、第１端面Ｓ４又は第２端面Ｓ５から直角プリズムＰの中へ外光が入射しても、斜面Ｓ３によって反射され検査者の眼Ｅに入る場合は、理論的には無く、実際上もほとんどない。このため、遮光（被覆）を行う対象は、直角プリズムＰの非該当面Ｓ１と、研磨用保持具８１の背面８１ｃのみでもよい。したがって、第１実施形態における第３被覆部材１３と第４被覆部材１４のみを備え、両者を棒状の部材などで接合したものも、本発明のプリズム外観検査用補助具として使用可能である。また、第１実施形態のように、四角形の枠状に構成されるプリズム外観検査用補助具であって、第１被覆部材と第２被覆部材に対応する部材を透明材料（ガラス、透明プラスチックなど）で形成したものも、本発明のプリズム外観検査用補助具として使用可能である。また、不透明材料からなる略板状又は略塊状の基体（図示せず）に、一又は複数の貫通した溝状（細長い長方形状断面の貫通孔）の開口部（図示せず）を開設し、この開口溝の中に、１つの列の上に直線状に並ぶように配置された複数の直角プリズムＰを、被観察面Ｓ２が上面となりかつ第１端面Ｓ４と第２端面Ｓ５が開口部の内壁で被覆（遮光）される状態で収容可能なように構成されたものも、本発明のプリズム外観検査用補助具として使用可能である。
【００４４】
また、遮光部材としては、不透明材料から形成され、帯状又はテープ状に形成され、非該当面（例えばＳ１）、及び研磨用保持具（例えば８１）の背面に少なくとも貼付又は接着されるものも使用可能である。もちろん、第１端面（例えばＳ４）及び第２端面（例えばＳ５）も含めて巻回され、貼付又は接着されるものも使用可能である。
【００４５】
また、遮光部材の材料としては、光を通さない不透明材料以外のものも使用可能である。例えば、半透明材料（すりガラスなど）であってもよい。また、透明材料（例えば、ガラス、透明プラスチックなど）であっても、直角プリズムＰの被覆される面に対向する遮光部材の内面側が、不透明色に着色されていればよい。この着色の色彩としては、例えば黒色などがあげられる。上記した第１実施形態の四角形枠状の遮光部材の場合は、枠の材料が透明材料であっても、枠の内面が不透明色に着色されていればよい。また、第２実施形態の場合は、基体２１の材料が透明材料であっても、開口部２２の内面が不透明色に着色されていればよい。
【００４６】
また、上記した面Ｓ２を第１被研磨面とし、面Ｓ１を第２被研磨面としてもよい。
【００４７】
【発明の効果】
以上説明したように、本発明に係るプリズム外観検査用補助具、及びプリズム外観検査方法によれば、光学素材からなり断面が略直角二等辺三角形である三角柱状に形成された直角プリズムの表面のうち、直角二等辺三角形の斜辺により形成される面である斜面を研磨用保持具により保持し、直角二等辺三角形の直角を構成する２つの辺の一方である第１辺により形成される面である第１被研磨面、又は直角二等辺三角形の直角を構成する２つの辺の他方である第２辺により形成される面である第２被研磨面を研磨した後、第１被研磨面又は第２被研磨面のいずれかである被観察面の欠陥の有無を検査するプリズム外観検査に用いるプリズム外観検査用補助具を用い、被観察面のみを上部に露出させるとともに、直角プリズムの５つの表面のうち、少なくとも第１被研磨面又は第２被研磨面のうち被観察面ではない方の面である非該当面と、斜面から外光が入射しないように遮光する遮光部材を備えるように構成したので、非該当面、又は研磨用補助具の背面から外光が入ることがなく、被観察面の像とまぎらわしい像の発生を防止することができる。また、被観察面から入る外光による像についても、有機溶剤を塗布しつつ観察し、動く視認像が被観察面の像であると判別することにより、被観察面か否かの判別を容易に行うことができる。
【図面の簡単な説明】
【図１】本発明の第１実施形態であるプリズム外観検査用補助具の構成を示す図である。
【図２】本発明の第１実施形態であるプリズム外観検査用補助具を用いたプリズム外観検査を説明する図である。
【図３】本発明の第２実施形態であるプリズム外観検査用補助具の構成を示す斜視図である。
【図４】従来の直角プリズムの研磨方法を説明する図である。
【図５】従来の直角プリズムの外観検査における問題点を説明する図である。
【符号の説明】
１０  プリズム外観検査用補助具
１１  第１被覆部材
１１  第１被覆部材
１３  第３被覆部材
１４  第４被覆部材
２０  プリズム外観検査用補助具
２１  基板
２２  開口部
６１  研磨用工具
６１ａ  研磨面
６１ｂ  凹部
７１  回転駆動軸
７２  ベース板
８１  研磨用保持具
８１ａ  ベース板取付面
８１ｂ  保持面
８１ｃ  背面
９１  往復駆動部材
９１ａ  嵌合球部
Ｂ  塗布具
Ｅ  眼
ｅ１  第１辺
ｅ２  第２辺
ｅ３  斜辺
Ｌ１〜Ｌ１５  光線
Ｍ  顕微鏡
Ｐ  直角プリズム
Ｐ´  直角プリズム素材
Ｓ１  第１被研磨面
Ｓ２、Ｓ２´  第２被研磨面
Ｓ３  斜面
Ｓ４  第１端面
Ｓ５  第２端面
【図１】
2004301593.tif 000003
【図２】
2004301593.tif 000004
【図３】
2004301593.tif 000005
【図４】
2004301593.tif 000006
【図５】
2004301593.tif 000007